(57)【要約】【解決手段】ＵＥがＳＨＯに入るとき、アップリンクＨＳ−ＤＰＣＣＨの完全性を維持するためのアップリンク電力制御が提供される。ノードＢの目標パイロットＳＮＲ閾値を増加するか減少するかを判断するときに、サービングノードＢのパイロット信号の平均ＳＮＲおよび／またはサービングノードＢのすべてのアップリンクデータチャネル上の平均ブロックエラーレートを考慮することにより目標パイロットＳＮＲ閾値が制御される。
2005531217.tif 000002
【特許請求の範囲】
【請求項１】
アップリンクチャネルのチャネル条件を判断するための判断ロジックと；
前記判断されたチャネル条件が不満足なとき、目標パイロットＳＮＲ閾値を増加させるための目標パイロット信号対雑音（ＳＮＲ）閾値設定器と；
を具備するアップリンク電力制御のための装置。
【請求項２】
前記目標パイロットＳＮＲ閾値が増加するとき、トラヒック対パイロット比を減少するためのトラヒック対パイロット比設定器をさらに具備する、請求項１の装置。
【請求項３】
前記判断されたチャネル条件が満足されるとき、前記目標パイロット信号対雑音（ＳＮＲ）閾値設定器は目標パイロットＳＮＲ閾値を減少する、請求項１の装置。
【請求項４】
パイロット信号の前記平均ＳＮＲが所定の第１の閾値未満であるとき、前記判断されたチャネル条件は満足されない、請求項１の装置。
【請求項５】
アップリンクデータチャネル上の平均ブロックエラーレートが所定の第２の閾値より大きいとき、前記判断されたチャネル条件は満足されない、請求項１の装置。
【請求項６】
パイロット信号の前記平均ＳＮＲが所定の第１の閾値未満であり、アップリンクデータチャネル上の平均ブロックエラーレートが所定の第２の閾値より大きいとき、前記判断されたチャネル条件は満足されない、請求項１の装置。
【請求項７】
平均ＳＮＲまたはアップリンクパイロット信号を計算するための信号対雑音（ＳＮＲ）平均器と；
平均ブロックエラーレート（ＢＬＥＲ）またはアップリンクデータ信号を計算するためのブロックエラーレート（ＢＬＥＲ）平均器と；
平均ＳＮＲまたは平均ＢＬＥＲまたは両方によってアップリンクチャネルのチャネル条件が満足されるかされないかを判断するための判断ロジック；および
前記判断されたチャネル条件が満足されないとき目標パイロットＳＮＲ閾値を増加し、前記判断されたチャネル条件が満足されるとき目標パイロットＳＮＲ閾値を減少する目標パイロット信号対雑音（ＳＮＲ）閾値設定器と
を具備するアップリンク電力制御のための装置。
【請求項８】
アップリンクチャネルのチャネル条件を判断する；および
前記判断されたチャネル条件が満足されないとき目標パイロットＳＮＲ閾値を増加する；
ことを具備するアップリンク電力制御のための方法。
【請求項９】
目標パイロットＳＮＲ閾値が増加したときトラヒック対パイロット比を減少することをさらに具備する、請求項８の方法。
【請求項１０】
前記判断されたチャネル条件が満足されるとき目標パイロットＳＮＲ閾値を減少することをさらに具備する請求項８の方法。
【請求項１１】
パイロット信号の前記平均ＳＮＲが所定の第１の閾値未満であるとき前記判断されたチャネル条件は満足されない、請求項８の方法。
【請求項１２】
アップリンクデータチャネル上の平均ブロックエラーレートが所定の第２の閾値より大きいとき前記判断されたチャネル条件は満足されない、請求項８の方法。
【請求項１３】
平均ＳＮＲまたはアップリンクパイロット信号を計算し；
平均ＢＬＥＲまたはアップリンクデータ信号を計算し；
前記平均ＳＮＲまたは平均ＢＬＥＲまたは両方によって、アップリンクチャネルのチャネル条件が満足されるかされないかを判断し；および
前記判断されたチャネル条件が満足されないとき目標パイロットＳＮＲ閾値を増加し、前記判断されたチャネル条件が満足されるとき前記目標パイロットＳＮＲ閾値を減少する；
ことを具備する、アップリンク電力制御のための方法。
【請求項１４】
アップリンクチャネルのチャネル条件を判断する手段と；および
前記判断されたチャネル条件が満足されないとき目標パイロットＳＮＲ閾値を増加する手段と；
を具備するアップリンク電力制御のための装置。
【請求項１５】
前記目標パイロットＳＮＲ閾値が増加したとき、トラヒック対パイロット比を減少することをさらに具備する、請求項１４の装置。
【請求項１６】
前記判断されたチャネル条件が満足されるとき目標パイロットＳＮＲ閾値を減少することをさらに具備する、請求項１４の装置。
【請求項１７】
パイロット信号の前記平均ＳＮＲが所定の第１の閾値未満であるとき、前記判断されたチャネル条件は満足されない、請求項１４の装置。
【請求項１８】
アップリンクデータチャネル上の前記平均ブロックエラーレートが所定の第２の閾値より大きいとき、前記判断されたチャネル条件は満足されない、請求項１４の装置。
【請求項１９】
平均ＳＮＲまたはアップリンクパイロット信号を計算する手段と；
平均ＢＬＥＲまたはアップリンクデータ信号を計算する手段と；
前記平均ＳＮＲまたは平均ＢＬＥＲまたは両方によってアップリンクチャネルのチャネル条件が満足されるかされないかを判断する手段と；および
前記判断されたチャネル条件が満足されないとき目標パイロットＳＮＲ閾値を増加し、前記判断されたチャネル条件が満足されるとき目標パイロットＳＮＲ閾値を減少する手段と；
を具備する、アップリンク電力制御のための装置。
【発明の詳細な説明】
【技術分野】
【０００１】
この発明は、一般に無線通信の分野に関し、特にアップリンク電力制御に関する。この発明は、広範囲のアプリケーションに従うけれども、特にセルラー通信システムに使用するのに適しており、その点について記載されるであろう。
【背景技術】
【０００２】
技術仕様書３ＧＰＰ  ＴＳ  ２５．２１１  ｖ５．０．０（２００２−０３）、第三世代パートナーシッププロジェクト（３ＧＰＰ）；技術仕様書グループ無線アクセスネットワーク；物理チャネル、および物理チャネルへのトランスポートチャネルのマッピング（ＦＤＤ）（リリース５）は、高速ダウンリンク共有チャネル（ＨＳ−ＤＳＣＨ）を供給する。ＨＳ−ＤＳＣＨは１つまたはいくつかのユーザー機器（ＵＥ）により供給されるダウンリンクトランスポートチャネルである。
【０００３】
３ＧＰＰ高速データパケットアクセス（ＨＳＤＰＡ）において、ＵＥは、ダウンリンク上の専用物理チャネル（ＤＰＣＨ）に対して複数のノードＢとソフトハンドオフ状態にあることができる。しかしながら、高速ダウンリンク共有チャネル（ＨＳ−ＤＳＣＨ）および対応するアップリンク高速専用物理制御チャネル（ＨＳ−ＤＰＣＣＨ）に対してＨＳＤＰＡ  ＳＨＯが無い。これは、リンク不均衡と呼ばれる状態を生じるかもしれない。すなわち、ＨＳ−ＤＳＣＨ上に高速データを供給しているノードＢと、ＵＥがＤＰＣＣＨに対して最良のアップリンクを有するノードＢとは異なる。
【０００４】
それゆえ、逆方向リンクＨＳ−ＤＰＣＨを考慮するリンク不均衡の期間にアップリンク電力制御のための装置および方法のための必要性が存在する。
【発明を実施するための最良の形態】
【０００５】
この発明の他の特徴および利点は、以下の記載および添付図面に一部記載されるであろう。この発明の好適実施形態が記載され図示され、添付した図面とともに以下の詳細な記載を審査すると、当業者にとって一部明白となり、あるいは、この発明の実施により確認してもよい。この発明の利点は、特に添付したクレームで指摘された手段および組み合わせによって実現および獲得してもよい。
【０００６】
図１は、通信システム１００の一般化されたブロック図を図解する。ユーザー機器（ＵＥ）１０２は、ノードＢ１  １０４およびノードＢ２  １０６と無線通信状態にあることができる。ＵＥは、携帯電話または固定または移動無線装置のような装置であることができる。ノードＢは、全体のセルを供給するセルラー基地局のような装置であることができる。
【０００７】
ノードＢ１  １０４およびノードＢ２  １０６は無線ネットワークコントローラー（ＲＮＣ）１０８と通信状態にあることができる。ＲＮＣはノードＢ１およびノードＢ２から信号を受信し、制御情報を、中でもノードＢ１およびノードＢ２に供給する。
【０００８】
ＵＥ１０２は、ノードＢ１  １０４とノードＢ２  １０６のサービスエリア内に存在することができ、種々のチャネル上でノードＢ１およびノードＢ２と通信することができる。例えばノードＢは、ダウンリンクチャネル、例えば図１に専用物理データチャネル（ＤＰＤＣＨ）および専用物理制御チャネル（ＤＰＣＣＨ）として示されるダウンリンク専用物理チャネル（ＤＰＣＨ）、および高速ダウンリンク共有チャネル（ＨＳ−ＤＳＣＨ）上でＵＥに信号を通信することができる。ＵＥはアップリンクＤＰＤＣＨ、アップリンクＤＰＣＣＨのようなアップリンク、およびダウンリンクＨＳ−ＤＳＣＨに関連する高速専用物理制御チャネル（ＨＳ−ＤＰＣＣＨ）上でノードＢに信号を送信することができる。
【０００９】
ＵＥ１０２は、アップリンクＤＰＣＣＨ上に、ダウンリンク電力制御のためのフィードバック情報ビット（ＦＢＩ）およびＵＰ／ＤＯＷＮ要求信号に加えて、データのブロックからなる全方向性パイロット信号を送信することができる。
【００１０】
ＵＥのパイロット信号は、そのパイロット信号の範囲内でノードＢにより受信することができる。各ノードＢは、ＵＥからのパイロット信号を受信したいと所望する目標パイロット信号対雑音（ＳＮＲ）閾値Ｔを有する。パイロット信号を受信する各ノードＢは、受信したパイロット信号のＳＮＲを計算することができる。（ブロック１１０および１１２）。計算されたＳＮＲが閾値Ｔを下回るなら、ノードＢはＤＰＣＣＨ上にアップ要求を送信することによりパイロット信号の送信電力を増大するようにＵＥに要求することができる。（ブロック１１４および１１６）。計算されたＳＮＲが閾値Ｔを上回るなら、ノードＢは、ＤＰＣＣＨ上にダウン要求を送信することによりパイロット信号の送信電力を減少するようにＵＥに要求することができる。（ブロック１１８および１２０）。
【００１１】
ＤＯＷＮのＯＲはパイロット信号強度を増大するか減少するかどうかを決定する。ＵＥがノードＢのいずれかひとつからのＤＯＷＮ要求を受信するなら、ＵＥのパイロット強度は減少される。ＵＥがすべてのノードＢからＵＰ要求を受信するなら、ＵＥのパイロット強度は増大される。
【００１２】
リンクの不均衡は、ＵＥ１０２がチャネルＨＳ−ＤＳＣＨ上のノードＢ１から高速データを受信しているときに生じてもよく、ノードＢ１およびノードＢ２とアップリンクＳＨＯ状態にある。このリンクの不均衡状態は、ノードＢ２がＤＯＷＮ要求を送信し、ノードＢ１がＵＰ要求を送信しているときに生じ得る。さらに、ＵＥは、ＳＨＯ状態にあるときに、一般的なＤＯＷＮｓのＯＲに従ってその送信電力を変化させることができる。ＨＳ−ＤＰＣＣＨの信号強度は、ＵＥに記憶されたトラヒック対パイロット比に従って、パイロット信号強度の減少に比例して減少するであろうから、ＵＥ１０２によるパイロット信号送信電力の減少は、ＵＥとノードＢ１  １０４との間のアップリンク高速通信に影響を与えることができる。
【００１３】
ＨＳＤＰＡにおいて、ノードＢ１  １０４は、ＨＳ−ＤＳＣＨ上のＵＥ１０２にパケットデータを送信することができる。ＵＥは、一度にＨＳ−ＤＳＣＨ上の１つのノードＢからのパケットデータのみを受信することができる。図１において、ノードＢ１  １０４は、ＵＥにパケットデータを送信するノードである。ＵＥを、ノードＢ１からのパケットデータを受信することから、ノードＢ２（図示せず）に関連するダウンリンクチャネルＨＳ−ＤＳＣＨ上のノードＢ２  １０６からパケットデータを受信することに、切り換えるセル交換を生じることができる。より高いレベルの信号伝達がセル交換を達成する。しかしながら、リンクの不均衡は、セル交換のタイムスケールよりも短いタイムスケール上存在することができる。
【００１４】
ＵＥ１０２は、ＨＳ−ＤＰＣＣＨ上に、アクノレッジ／非アクノレッジ（ＡＣＫ／ＮＡＫ）信号を送信することができる。ＵＥがＨＳ−ＤＳＣＨ上のサービングノードＢ１からパケットデータを成功裡に受信したなら、ＡＣＫがＵＥにより送信される。反対に、ＵＥがＨＳ−ＤＳＣＨ上のサービングノードＢ１からパケットデータを非成功裡に受信したなら、ＮＡＫが送信される。ＮＡＫが送信ノードＢ１により受信されるなら、送信ノードＢ１は、以前に送信したパケットデータを再送信することができる。ＵＥがＨＳ−ＤＳＣＨに関連する高速共有制御チャネル（ＨＳ−ＳＣＣＨ）を取り損なうなら、ＵＥは、ゼロ（ＮＵＬＬ）を送信することができる。ＨＳ−ＳＣＣＨは、将来の送信がＨＳ−ＤＳＣＨ上で今にも起ころうとしていることをＵＥに知らせる。
【００１５】
リンク不均衡状態において、ノードＢ２は、ＤＯＷＮ要求を送信する。これは、ＵＥ１０２にパイロット信号強度を減少させ、相応して、ＡＣＫ／ＮＡＫの信号強度を減少させる。ＡＣＫ／ＮＡＫ信号の強度が減少すると、ＡＣＫｓは、ＨＳ−ＤＳＣＨ上に送信の増加をもたらすＮＡＫｓとして受信され、ＮＡＫｓおよびＮＵＬＬｓは、ＨＳ−ＤＳＣＨ上で紛失したパケットをもたらすＡＣＫｓとして受信される結果となり得る。
【００１６】
さらに、ＵＥは、ＨＳ−ＤＰＣＣＨ上にチャネル品質表示（ＣＱＩ）を送信するので、ノードＢ１は、誤った表示を受信する可能性がある。
【００１７】
この問題に対する解決は、ＲＮＣ１０８がパイロット強度、例えば、ノードＢ１  １０４により受信されるパイロット信号の平均ＳＮＲ（ブロック１２２）およびサービングノードＢ１の平均ブロックエラーレート（ＢＬＥＲ）（ブロック１２４）を監視することである。これらのパラメーターは、目標パイロットＳＮＲ閾値Ｔを増大するか減少するかを判断する際に使用してもよい。
【００１８】
ＲＮＣ１０８は、両方のノードＢ（ブロック１２６および１２８）に対してアップリンクＤＰＤＣＨ上に送信されたブロックの巡回冗長検査を計算することができる。両方のチャネルに対してＣＲＣが失敗するなら（ブロック１３０）、ＲＮＣは、ノードＢに目標パイロットＳＮＲ閾値Ｔを増加させるように指示する（ブロック１３２）。これによって、次に、ノードＢ２は、その要求をＤＯＷＮからＵＰに変更する可能性をもたらす。
【００１９】
ＣＲＣが両方のチャネルに対して失敗しないなら（ブロック１３０）、ＲＮＣ１０８は、高速パケットデータを送信するノードＢ１  １０４とＵＥ１０２との間のアップリンクチャネル条件が不満足であるかどうか判断する。例えば、平均パイロット信号ＳＮＲが所定の閾値ＴＨ１未満かどうか判断する、またはＤＰＤＣＨ上のブロックエラーレート（ＢＬＥＲ）が所定の閾値ＴＨ２より大きいかどうか判断する、またはその両方を判断する。アップリンクチャネル条件が満足されるなら、ＲＮＣ１０８は、ノードＢの目標パイロットＳＮＲ閾値Ｔを減少するように要求することができる（ブロック１３６）。
【００２０】
高速パケットデータを送信するノードＢ１  １０４とＵＥ１０２との間のアップリンクチャネル条件が不満足であるなら（ブロック１３４）、ＲＮＣ１０８は、目標パイロットＳＮＲ閾値Ｔを増加させるように要求することができる（ブロック１３８）。Ｔが増加すると、ノードＢ２は、ＤＯＷＮ要求をＵＰ要求に変更する可能性が高くなり、それによって、ＤＯＷＮｓのＯＲによってＵＥのパイロット強度の減少を防止することができる。
【００２１】
状況に応じて、ＲＮＣは、Ｔを増加させることに加えて（ブロック１３８）、ノードＢのトラヒック対パイロット比を減少するように要求することができる（ブロック１４０）。トラヒック対パイロット比を減少することは、パイロット信号強度に関連してトラヒックチャネル強度を減少することにより、平均返信リンク干渉を減少させる。
【００２２】
この発明は他の実施形態および異なる実施形態に適用可能であり、いくつかの細部は変更可能である。例えば、この発明は、広帯域符号分割多元接続（Ｗ−ＣＤＭＡ）のための上述した技術仕様書に関連して記載されているけれども、この発明はＣＤＭＡ２０００  １ｘＥＶ−ＤＶに等価的に適用可能である。例えば、以下の３ＧＰＰ用語はＣＤＭＡ２０００用語に対して対応を有する。ＵＥは移動局（ＭＳ）に対応する；ノードＢは基地端末局（ＢＴＳ）に対応する；ＲＮＣは基地局コントローラー（ＢＳＣ）に対応する；ＨＳ−ＤＳＣＨは順方向パケットデータチャネル（Ｆ−ＰＤＣＨ）に対応する；ＤＰＣＨは、ファンディケートチャネル(Fundicated Channel)（ＦＣＨ／ＤＣＣＨ）；ＨＳ−ＤＰＣＣＨは、Ｒ−ＣＱＩＣＨおよびＲ−ＡＣＫＣＨに対応する；およびＢＬＥＲはフレームエラーレート（ＦＥＲ）に対応する。
【００２３】
ノードＢは、１つのセルの種々のセクターを供給するビーム形成アンテナを有するセルラー基地局の装置であり得る。この場合、ＲＮＣの機能は、同じ基地局のセクター間のリンク不均衡に対してＵＥにサービスする基地局において実行可能である。
【００２４】
ここに記載される機能性および図１に示すブロックの機能性は専用のハードウエアにおいて、または等価的にソフトウエアとプロセッサーにおいて実行してもよい。
【００２５】
結論として、ここに記載されるアップリンク電力制御は、ＵＥがＳＨＯ状態に入るときにアップリンクＨＳ−ＤＰＣＣＨの完全性を維持するための利点を提供する。これは、主に、ノードＢの目標パイロットＳＮＲ閾値を増加するかまたは減少するかを決定するとき、サービングノードＢ１のパイロット信号強度および／またはサービングノードＢ１のアップリンクチャネル条件を考慮することにより、目標パイロットＳＮＲ閾値を制御することにより達成される。
【００２６】
当業者は、この発明の範囲または精神を逸脱することなく、他の変更または変形をこの発明のアップリンク電力制御技術において、および構成および動作において実行できることを認識するであろう。
【図面の簡単な説明】
【００２７】
【図１】図１は、この発明に従って構成された通信システムの一般化されたブロック図である。
【図１】
2005531217.tif 000003
【国際調査報告】
2005531217.tif 000004
2005531217.tif 000005
2005531217.tif 000006